(57)【要約】【課題】  本願は、屋根改修等において、既設屋根上のフックボルトが傾いた状態であっても、新設屋根上に金具痕を出さず、施工しやすい新設屋根取付具及び新設屋根取付構造を提供することを目的とする。【解決手段】  本願は、上方に凸となる湾曲に形成された上面に複数条の溝線が形成された新設屋根取付部を有する新設屋根取付具である。また、本願は、上記の新設屋根取付具が、既設屋根に固定され、湾曲に形成された新設屋根取付部に、新設屋根材の平面部が取り付けられた新設屋根取付構造である。【選択図】  図１
2020125584.tif 000002
【特許請求の範囲】
【請求項１】
上方に凸となる湾曲に形成された上面に
複数条の溝線が形成された新設屋根取付部を有する
新設屋根取付具。
【請求項２】
上部材は、
上方に凸となる湾曲に形成された上面に
複数条の溝線が形成された新設屋根取付部と、
新設屋根取付部の一対の両端縁から下方にのびる脚部と、
脚部の下端にスライド部を有しており、
下部材は、
フックボルト固定部を有する底面と、
底面の一対の両端縁から上方にのびる支承部と、
支承部の上端に被スライド部を有し、
被スライド部は、
一端に止め部を有しており、
スライド部と被スライド部が係合され、
上部材と下部材とが組み合わされている新設屋根取付具。
【請求項３】
請求項１又は請求項２の新設屋根取付具が、
既設屋根に固定され、
湾曲に形成された新設屋根取付部に、
新設屋根材の平面部が取り付けられた新設屋根取付構造。
【発明の詳細な説明】
【技術分野】
【０００１】
本願は、屋根改修等において、既設屋根上のフックボルトが傾いた状態であっても、新設屋根上に金具痕を出さず、施工しやすい新設屋根取付具及び新設屋根取付構造を提供することを目的とする。
【背景技術】
【０００２】
従来技術について、図６で説明する。
【０００３】
図６は、特開２０１０−６５５０６号公報にて公開されているスレート葺屋根における新設屋根材取付方法及び取付け作業器に関する技術である。この技術は、既設スレート葺屋根１における母屋材位置に当たる凸面部上に基板部と吊枠板５部から成る台金具を配置し、この台金具の基板の長手方向中央部に弯形部６を形成するとともにこの弯形部の一端部中央に開口部につづく長孔を設け、前記既設屋根の母屋材に下端部を掛止めるフックボルト２０の上端部を前記台金具の長孔に螺着し、左右対称に成るレール材の前後両端部を各脚台上に設置し、一方の脚台の支板と立板との間に先端に係止部を有する固定具を設け、他方の脚台のレール材端部上に設けた支台の上端部間に作業杆の基端部を枢着し、この作業杆の適所に設けたガイド板の当接板を前記固定具との間に配置した前記台金具に抑止し、台金具の固定状態下において新設の屋根板２６の適所に螺子２５を内側の吊枠板の凸状上面部に取付けるものである。
【先行技術文献】
【特許文献】
【０００４】
【特許文献１】特開２０１０−６５５０６号公報
【発明の概要】
【発明が解決しようとする課題】
【０００５】
図６に示した先行技術では、既設屋根上のフックボルトが傾いた状態になっている場合、台金具が傾いて取り付けられてしまい、台金具の角部が新設屋根に金具痕として出てしまう。また、図６に示した先行技術では、基板部と吊枠板部の係合部分が外側に突出された状態で「鋲子」で組み合わされている。そのため、新設屋根を取り付けるときに、基板部と吊枠板部の係合部分が新設屋根に当たり、傷付けてしまうことがあった。さらに、「鋲子」にコストが掛かっていた。
【課題を解決するための手段】
【０００６】
本願は、上方に凸となる湾曲に形成された上面に複数条の溝線が形成された新設屋根取付部を有する新設屋根取付具である。
【０００７】
また、本願は、上部材は、上方に凸となる湾曲に形成された上面に複数条の溝線が形成された新設屋根取付部と、新設屋根取付部の一対の両端縁から下方にのびる脚部と、脚部の下端にスライド部を有している。下部材は、フックボルト固定部を有する底面と、底面の一対の両端縁から上方にのびる支承部と、支承部の上端に被スライド部を有している。この被スライド部は、一端に止め部を有している。これらのスライド部と被スライド部が係合され、上部材と下部材とが組み合わされている構造である新設屋根取付具である。
【０００８】
本願は、上記の新設屋根取付具が、既設屋根上のフックボルトに固定され、湾曲に形成された新設屋根取付部に、新設屋根材の平面部が取り付けられた新設屋根取付構造である。
【発明の効果】
【０００９】
本願は、既設屋根上のフックボルトが傾いた状態になっていて、新設屋根取付具が傾いた状態に取り付けられても、新設屋根に金具痕が出てしまうことがない。
【００１０】
また、本願は、スライド部と被スライド部が係合され、上部材と下部材とが組み合わされている構造である。そのため、新設屋根を取り付けるときに、上部材と下部材とが組み合わされた部分が新設屋根に当たり、傷付けてしまうことがない。さらに、「鋲子」を用いないので、コストも掛からない。
【図面の簡単な説明】
【００１１】
【図１】本願の新設屋根取付具の実施例を示す説明図である。
【図２】本願の新設屋根取付具の実施例を示す説明図である。
【図３】本願の新設屋根取付具における上部材の実施例を示す説明図である。
【図４】本願の新設屋根取付具における下部材の実施例を示す説明図である。
【図５】本願の新設屋根取付構造の実施例を示す説明図である。
【図６】従来技術の説明図である。
【実施例】
【００１２】
本願の新設屋根取付具及び新設屋根取付構造について、図１から図５までにより説明する。図１は、本願の新設屋根取付具の実施例を示す斜視図である。図２は、本願の新設屋根取付具の実施例を示す正面図である。図３は、本願の新設屋根取付具及び新設屋根取付構造の上部材の実施例を示す斜視図である。図４は、本願の新設屋根取付具及び新設屋根取付構造の下部材の実施例を示す斜視図である。図５は、本願の新設屋根取付構造の実施例を示す説明図である。
【００１３】
本実施例の新設屋根取付具Ａは、既設屋根Ｏ上のフックボルトＦに取り付けられ、その上に新設屋根Ｎを取り付けるために用いられる。既設屋根Ｏは、波形スレート屋根などのように曲面でアールを描くような山部が形成されており、その山部がフックボルトＦで固定されているものが望ましい。一般的に、既設屋根Ｏ上においてフックボルトＦが垂直でない場合も少なくなく、傾いている場合も多い。
【００１４】
本実施例の新設屋根取付具Ａは、山部と谷部が形成された断面略波状の新設屋根Ｎが取り付けられる場合に適している。本実施例の新設屋根取付具Ａは、既設屋根Ｏ上のフックボルトＦに複数のものが固定され、その上に新設屋根Ｎがかぶせられ、新設屋根Ｎの表面側から新設屋根取付具Ａにビスなどの止着具Ｂが打ち込まれて固定される。
【００１５】
本実施例の新設屋根取付具Ａは、上方に凸となる湾曲に形成された上面に複数条の溝線Ａ１１１が形成された新設屋根取付部Ａ１１を有する。上面の湾曲頂部は、本実施例の新設屋根取付具Ａが既設屋根ＯのフックボルトＦに取り付けられたときに、既設屋根Ｏの流れ方向と略平行となるように形成されている。また、複数条の溝線Ａ１１１も、本実施例の新設屋根取付具Ａが既設屋根Ｏ上のフックボルトＦに取り付けられたときに、既設屋根Ｏの流れ方向と略平行になる方向に形成されている。
【００１６】
既設屋根Ｏ上においてフックボルトＦが垂直でない場合、本実施例の新設屋根取付具Ａも傾いた状態で取り付けられる。しかし、本実施例の新設屋根取付具Ａは、上方に凸となる湾曲に形成された上面になっている。そこが新設屋根Ｎ裏面に対して当接される構造になっているので、新設屋根Ｎに金具痕が出てしまうことがない。なお、上方に凸となる湾曲は、既設屋根Ｏの山部の半径に本実施例の新設屋根取付具Ａの高さ寸法を加算した半径で形成されているのが望ましい。
【００１７】
また、新設屋根Ｎの表面側から新設屋根取付具Ａにビスなどの止着具Ｂが打ち込まれる際、止着具Ｂの先端が溝線Ａ１１１に引っかかる構造になっており、新設屋根取付部Ａ１１上を滑って刺しにくくなることがない。なお、溝線Ａ１１１の条数、溝線Ａ１１１・Ａ１１１同士の間隔は問わないが、止着具Ｂが打ち込まれる際、その先端が当たりうる範囲にわたって、新設屋根取付部Ａ１１上を滑らない程度の間隔で溝線Ａ１１１が形成されていることが望ましい。
【００１８】
本実施例の新設屋根取付具Ａは、上部材Ａ１と下部材Ａ２で構成されている。そのため、上部材Ａ１、下部材Ａ２のどちらかを変えるだけで、新設屋根Ｎの取付高さを調整できる。そのため、上部材Ａ１と下部材Ａ２、どちらかを取付高さを問わない共通部材とすることができる。さらに、上部材Ａ１と下部材Ａ２、どちらで取付高さを調整してもよいので、設計の自由度が高い。
【００１９】
本実施例の上部材Ａ１は、上方に凸となる湾曲に形成された上面に複数条の溝線Ａ１１１が形成された新設屋根取付部Ａ１１が形成されている。また、本実施例の上部材Ａ１は、新設屋根取付部Ａ１１の一対の両端縁から下方にのびる脚部Ａ１２・Ａ１２と、脚部Ａ１２・Ａ１２の下端にスライド部Ａ１３を有している。この一対の両端縁は、溝線と平行な直線状になっている側の端縁である。新設屋根取付部Ａ１１の一対の両端縁は、本実施例の新設屋根取付具Ａが既設屋根Ｏ上のフックボルトＦに取り付けられたときに、既設屋根Ｏの桁行側に対面する向きに配置される。
【００２０】
本実施例において、脚部Ａ１２・Ａ１２は新設屋根取付部Ａ１１の一対の両端縁から下方、すなわち、新設屋根取付部Ａ１１の一対の両端縁から既設屋根Ｏ側に向けて形成されている。この脚部Ａ１２・Ａ１２の高さ寸法によって、すなわち、本実施例の上部材Ａ１によって、新設屋根Ｎの取付高さを調整できる。
【００２１】
本実施例の上部材Ａ１は、脚部Ａ１２・Ａ１２の下端にスライド部Ａ１３・Ａ１３を有している。本実施例の上部材Ａ１は、脚部Ａ１２・Ａ１２の下端に内側当接部、外側当接部が形成されており、下部材Ａ２の被スライド部Ａ２３・Ａ２３を外側から抱持するような形状になっている。そのため、スライド部Ａ１３・Ａ１３と被スライド部Ａ２３・Ａ２３を係合させると、上下位置及び既設屋根Ｏの桁行位置が固定され、既設屋根Ｏの流れ方向のみにスライドされる構造になる。また、本実施例は、下部材Ａ２の被スライド部Ａ２３・Ａ２３を外側から抱持するような形状になっているので、外側にするどい端縁が突出することがなく、新設屋根Ｎの裏面を傷つけにくい構造になっている。
【００２２】
なお、本実施例のスライド部Ａ１３・Ａ１３及び被スライド部Ａ２３・Ａ２３の形状及び構造は一例であり、スライド部Ａ１３・Ａ１３と被スライド部Ａ２３・Ａ２３が係合されたときに、上下位置及び既設屋根Ｏの桁行方向における位置が固定され、既設屋根Ｏの流れ方向のみにスライドされる構造であればよい。
【００２３】
本実施例の下部材Ａ２は、フックボルト固定部を有する底面Ａ２１を有する。既設屋根Ｏの形状にあわせて、本実施例において、底面Ａ２１は上方に凸となる湾曲に形成されている。
【００２４】
また、本実施例の下部材Ａ２が既設屋根Ｏ上のフックボルトＦに取り付けられる際、水下側になる端部から底辺略中央部にかけて、切り込みによってフックボルト固定部Ａ２１１が形成されている。このフックボルト固定部Ａ２１１は、既設屋根Ｏ上のフックボルトＦに係合され、下部材Ａ２を既設屋根Ｏ上のフックボルトＦに固定するために用いられる。
【００２５】
本実施例において、下部材Ａ２の水上側端部は、上方に折り曲げられ、打撃受部Ａ２４が形成されている。下部材Ａ２は、フックボルト固定部Ａ２１１が既設屋根Ｏ上のフックボルトＦに係合され、打撃受部Ａ２４がハンマー等によって打擲されることによって、既設屋根ＯのフックボルトＦに固定される。
【００２６】
本実施例の下部材Ａ２は、底面Ａ２１の一対の両端縁から上方にのびる支承部Ａ２２・Ａ２２が形成されている。底面Ａ２１の一対の両端縁は、本実施例の新設屋根取付具Ａが既設屋根Ｏ上のフックボルトＦに取り付けられたときに、既設屋根Ｏの桁行側に対面する向きに配置される。本実施例において、支承部Ａ２２・Ａ２２は底面Ａ２１の一対の端縁から上方、すなわち、底面Ａ２１の一対の両端縁から新設屋根Ｎ側に向けて形成されている。この支承部Ａ２２・Ａ２２の高さ寸法によって、すなわち、本実施例の下部材Ａ２によって、新設屋根Ｎの取付高さを調整できる。
【００２７】
本実施例の下部材Ａ２は、支承部Ａ２２・Ａ２２の上端に被スライド部Ａ２３・Ａ２３を有する。本実施例において、被スライド部Ａ２３・Ａ２３は、支承部Ａ２２・Ａ２２の上端が外側に折り曲げられるとともに、折り曲げられた部分に切り欠きが形成され、外側及び内側双方に端縁が突出している構造になっている。本実施例では、被スライド部Ａ２３・Ａ２３の外側端縁及び内側端縁が、スライド部Ａ１３・Ａ１３の外側当接部及び内側当接部に強く当接される構造になっている。その構造によって、スライド部Ａ１３・Ａ１３と被スライド部Ａ２３・Ａ２３を一旦係合されると抜けにくい状態に、上部材Ａ１と下部材Ａ２が一体化される。この一体化に当たっては、鋲子などの追加部材も必要なく、コストを低く抑えることができる。
【００２８】
本実施例の下部材Ａ２は、被スライド部Ａ２３・Ａ２３の一端に止め部Ａ２３１・Ａ２３１が形成されている。この止め部Ａ２３１・Ａ２３１に、スライド部Ａ１３・Ａ１３の水下側端縁が当接する位置が、上部材Ａ１と下部材Ａ２の適正な組合せ位置となる。また、スライド部Ａ１３・Ａ１３と被スライド部Ａ２３・Ａ２３の係合がゆるい場合でも、この止め部Ａ２３１・Ａ２３１によって、上部材Ａ１が下部材Ａ２の水下側に滑落するのを防ぐことができる。
【００２９】
次に、本願の新設屋根取付構造について説明する。上記の新設屋根取付具Ａが、既設屋根Ｏ上のフックボルトＦに固定され、湾曲に形成された新設屋根取付部Ａ１１に、新設屋根Ｎの平面部Ｎ１が取り付けられている。このとき、湾曲に形成された新設屋根取付部Ａ１１に、新設屋根Ｎの平面部Ｎ１が当接している部分は、新設屋根取付部Ａ１１の中央部とは限らない。新設屋根取付部Ａ１１の一部と新設屋根Ｎの平面部Ｎ１が当接していればよく、当接されている位置は新設屋根取付部Ａ１１上であれば、任意である。
【００３０】
本願の新設屋根取付構造は、複数の新設屋根取付具Ａが既設屋根Ｏ上のフックボルトＦに固定され、それらの上に新設屋根Ｎがかぶせられ、新設屋根Ｎの表面側から新設屋根取付具Ａに向けてビスなどの止着具Ｂが打ち込まれて固定される。
【符号の説明】
【００３１】
Ａ          新設屋根取付具
Ａ１        上部材
Ａ１１      新設屋根取付部
Ａ１１１    溝線
Ａ１２      脚部
Ａ１３      スライド部
Ａ２        下部材
Ａ２１      底面
Ａ２１１    切り込み
Ａ２２      支承部
Ａ２３      被スライド部
Ａ２３１    止め部
Ａ２４      打撃受部
Ｏ          既設屋根
Ｆ          フックボルト
Ｎ          新設屋根
Ｎ１        平面部
Ｂ          止着具
【図１】
2020125584.tif 000003
【図２】
2020125584.tif 000004
【図３】
2020125584.tif 000005
【図４】
2020125584.tif 000006
【図５】
2020125584.tif 000007
【図６】
2020125584.tif 000008